(57)【要約】【課題】  移動無線局となる無線通信装置において短時間で通話を開始可能にしつつ、運用期間を長期化する。【解決手段】  回線制御装置１０１から制御チャネルを介して移動送受信装置１０２に対して送信されるフレーム構造を有する情報は、制御情報のエリアにて伝送される情報の種類を示す機能チャネル識別情報を含んでいる。回線制御装置１０１は、移動送受信装置１０２に対して通知する必要のあるメッセージが存在しないときに、制御情報のエリアにアイドルメッセージを設定するとともに、同一フレーム内の機能チャネル識別情報をアイドル識別情報に設定する。移動送受信装置１０２は、機能チャネル識別情報がアイドル識別情報であるときに、制御情報のエリアにおける受信動作を、受信停止動作に切り換える。これに対して、機能チャネル識別情報がアイドル識別情報以外であるときには、制御情報のエリアにて受信動作を継続させる。【選択図】  図１
2006093869.tif 000002
【特許請求の範囲】
【請求項１】
制御チャネルと、該制御チャネル上で伝送される情報によって特定された複数の無線通信装置のいずれかに割当可能な複数の通話チャネルとを用いて無線通信を行う無線通信システムであって、
１つの制御チャネル上にて、少なくとも同期ワード、チャネル識別情報、制御情報の３つのエリアを有するフレーム構造の情報を、前記複数の無線通信装置の少なくとも１つに対して送信するチャネル制御装置を備え、
前記チャネル制御装置は、前記フレーム構造の情報に含まれるチャネル識別情報のエリアにて、制御情報のエリアで伝送される情報の種類を示す機能チャネル識別情報を送信し、
前記複数の無線通信装置はぞれぞれ、制御チャネル上にて前記フレーム構造の情報を受信したときに、前記フレーム構造の情報に含まれる機能チャネル識別情報の種類を判定することにより、制御情報のエリアにおける受信動作を、受信停止動作を含めた複数種類の動作のいずれかに設定する、
ことを特徴とする無線通信システム。
【請求項２】
前記チャネル制御装置は、制御情報のエリアにて伝送される情報が報知メッセージ及び呼出メッセージとは異なるアイドルメッセージであるときに、機能チャネル識別情報としてアイドルメッセージを特定可能に指示するアイドル識別情報を送信し、
前記複数の無線通信装置はそれぞれ、受信した機能チャネル識別情報がアイドル識別情報であると判定したときに、当該機能チャネル識別情報と同一フレーム内における制御情報のエリアでの受信動作を、受信停止動作に切り換える、
ことを特徴とする請求項１に記載の無線通信システム。
【請求項３】
前記チャネル制御装置は、制御情報のエリアにて伝送される情報が無線通信装置の側にて任意に受信すべきメッセージであるときに、機能チャネル識別情報としてアイドル識別情報を送信し、
前記複数の無線通信装置はそれぞれ、受信した機能チャネル識別情報がアイドル識別情報であると判定したときに、制御情報のエリアにおける受信動作を、自機の動作状態に応じて、情報の受信を継続させる動作と、受信停止動作のいずれかに設定する、
ことを特徴とする請求項１に記載の無線通信システム。
【請求項４】
前記チャネル制御装置は、前記フレーム構造の情報にランダムアクセスの送信許可及び禁止のいずれかを示すランダムアクセス制御情報を含めて、制御情報のエリアに後続するエリアにて送信し、
前記複数の無線通信装置はそれぞれ、制御情報のエリアでの受信動作を受信停止動作に切り換えたときに、ランダムアクセス制御情報のエリアにて受信を再開させる受信再開動作に切り換える、
ことを特徴とする請求項１、２又は３に記載の無線通信システム。
【請求項５】
制御チャネルと、該制御チャネル上で伝送される情報によって特定された複数の無線通信装置のいずれかに割当可能な複数の通信チャネルとを用いた無線通信を制御する無線通信制御装置であって、
１つの制御チャネル上にて、少なくとも同期ワード、チャネル識別情報、制御情報の３つのエリアを有するフレーム構造の情報を前記複数の無線通信装置の少なくとも１つに対して送信するチャネル制御手段を備え、
前記チャネル制御手段は、前記フレーム構造の情報のうちでチャネル識別情報に含まれる機能チャネル識別情報のエリアにて、制御情報のエリアで伝送される情報の種類を示す機能チャネル識別情報を送信する、
ことを特徴とする無線通信制御装置。
【請求項６】
前記チャネル制御手段は、制御情報のエリアにて伝送される情報が報知メッセージ及び呼出メッセージとは異なるアイドルメッセージであるときに、機能チャネル識別情報としてアイドルメッセージを特定可能に指示するアイドル識別情報を送信する、
ことを特徴とする請求項５に記載の無線通信制御装置。
【請求項７】
前記チャネル制御手段は、制御情報のエリアにて伝送される情報が無線通信装置の側にて任意に受信すべきメッセージであるときに、機能チャネル識別情報として任意の受信を指示する識別情報を送信する、
ことを特徴とする請求項５又は６に記載の無線通信制御装置。
【請求項８】
制御チャネルと、該制御チャネル上で伝送される情報によって割り当てられる通信チャネルとを用いた無線通信を行う無線通信装置であって、
１つの制御チャネル上にて、少なくとも同期ワード、チャネル識別情報、制御情報の３つのエリアを有するフレーム構造の情報であって、制御情報のエリアで伝送される情報の種類を示す機能チャネル識別情報がチャネル識別情報のエリアにて伝送される情報を、無線基地局から受信する制御チャネル伝送情報受信手段と、
前記制御チャネル伝送情報受信手段によって受信した前記フレーム構造の情報に含まれる機能チャネル識別情報の種類を判定することにより、制御情報のエリアにおける受信動作を、受信停止動作を含めた複数種類の動作のいずれかに設定する動作制御手段とを備える、
ことを特徴とする無線通信装置。
【請求項９】
前記動作制御手段は、前記制御チャネル伝送情報受信手段によって受信した機能チャネル識別情報が、制御情報のエリアにて伝送される情報として報知メッセージ及び呼出メッセージとは異なるアイドルメッセージを特定可能に指示するアイドル識別情報であると判定したときに、当該機能チャネル識別情報と同一フレーム内における制御情報のエリアでの受信動作を、受信停止動作に切り換える、
ことを特徴とする請求項８に記載の無線通信装置。
【請求項１０】
前記動作制御手段は、
前記制御チャネル伝送情報受信手段によって受信した機能チャネル識別情報が、制御情報のエリアにて伝送される情報として報知メッセージあるいは呼出メッセージを特定可能に指示する識別情報であると判定したときに、当該機能チャネル識別情報と同一フレーム内における制御情報のエリアでの受信動作を、情報の受信を継続させる動作に設定し、
前記制御チャネル伝送情報受信手段によって受信した機能チャネル識別情報が、制御情報のエリアにて伝送される情報として報知メッセージ及び呼出メッセージとは異なるアイドルメッセージを特定可能に指示するアイドル識別情報であると判定したときに、当該機能チャネル識別情報と同一フレーム内における制御情報のエリアでの受信動作を、自機の動作状態に応じて、情報の受信を継続させる動作と、受信停止動作のいずれかに設定する、
ことを特徴とする請求項８に記載の無線通信装置。
【請求項１１】
制御チャネルと、該制御チャネル上で伝送される情報によって特定された複数の無線通信装置のいずれかに割当可能な複数の通話チャネルとを用いて無線通信を行う無線通信方法であって、
１つの制御チャネル上にて、少なくとも同期ワード、チャネル識別情報、制御情報の３つのエリアを有するフレーム構造の情報を、無線基地局から前記複数の無線通信装置の少なくとも１つに対して送信し、
前記フレーム構造の情報に含まれる機能チャネル識別情報のエリアにて、制御情報のエリアで伝送される情報の種類を示す機能チャネル識別情報を送信し、
前記複数の無線通信装置がぞれぞれ、制御チャネル上にて前記フレーム構造の情報を受信したときに、前記フレーム構造の情報に含まれる機能チャネル識別情報の種類を判定することにより、制御情報のエリアにおける受信動作を、受信停止動作を含めた複数種類の動作のいずれかに設定する、
ことを特徴とする無線通信方法。
【請求項１２】
制御情報のエリアにて伝送される情報が報知メッセージ及び呼出メッセージとは異なるアイドルメッセージであるときに、機能チャネル識別情報としてアイドルメッセージを特定可能に指示するアイドル識別情報を前記無線基地局から送信し、
前記複数の無線通信装置がそれぞれ、受信した機能チャネル識別情報がアイドル識別情報であると判定したときに、当該機能チャネル識別情報と同一フレーム内における制御情報のエリアでの受信動作を、受信停止動作に切り換える、
ことを特徴とする請求項１１に記載の無線通信方法。
【請求項１３】
制御情報のエリアにて伝送される情報が無線通信装置の側にて任意に受信すべきメッセージであるときに、機能チャネル識別情報としてアイドル識別情報を前記無線基地局から送信し、
前記複数の無線通信装置がそれぞれ、受信した機能チャネル識別情報がアイドル識別情報であると判定したときに、制御情報のエリアにおける受信動作を、自機の動作状態に応じて、情報の受信を継続させる動作と、受信停止動作のいずれかに設定する、
ことを特徴とする請求項１１に記載の無線通信方法。
【請求項１４】
前記フレーム構造の情報にランダムアクセスの送信許可及び禁止のいずれかを示すランダムアクセス制御情報を含めて、制御情報のエリアに後続するエリアにて送信し、
前記複数の無線通信装置がそれぞれ、制御情報のエリアでの受信動作を受信停止動作に切り換えたときに、ランダムアクセス制御情報のエリアにて受信を再開させる受信再開動作を切り換える、
ことを特徴とする請求項１１、１２又は１３に記載の無線通信方法。
【発明の詳細な説明】
【技術分野】
【０００１】
本発明は、無線通信システム、無線通信制御装置、無線通信装置及び無線通信方法に関する。
【背景技術】
【０００２】
移動無線機の発着呼要求に対して無線基地局に配置された１以上の無線送受信機の１つを割り当てる移動無線通信方式が知られている（例えば、特許文献１）。
【特許文献１】特開昭６３−１８０２３１号公報
【０００３】
また、主に業務用途で使われる陸上移動無線システム（LMR；Land Mobile Radio）として、回線制御装置を用いて複数の移動無線局により所定数の無線チャネルを共用することで、周波数の利用効率を高めたトランク方式の無線通信システムが使用されている。このトランク方式の無線通信システムでは、各所に配置された無線基地局が回線制御装置を有しており、制御情報を移動無線局へと送信することで、所定数の無線チャネルを複数の移動無線局により共用可能にしている。このように所定数の無線チャネルを複数の移動無線局により共用することで、各移動無線局が個別の無線チャネルを専有する無線通信システムなどに比べて、周波数の利用効率を高めることができる。
【０００４】
トランク方式の無線通信システムでは一般的に、１つの無線基地局が複数の無線チャネルを管理しており、そのうちでいずれかの無線チャネルを制御用のチャネル（制御チャネル）として使用する一方で、残りの無線チャネルを通話用のチャネル（通話チャネル）として使用する。移動無線局では、制御チャネルでの受信内容を監視することにより、制御チャネル上で無線基地局から送られる呼出メッセージ等を判定し、自機に対する呼出があれば指定された通話チャネルに移行して、呼出を行った発信元の移動無線局などと通話を開始させるなどの動作を行う。
【０００５】
より具体的に、北米においては、各種のトランク方式の無線通信システムが用いられているなかで、シンプルで低コストなシステムとしてLTR（Logic Trunked Radio）方式の無線機器が数多く使用されている。他方、日本においては、ARIB-T61方式（以下、「ARIB方式」ともいう）が標準の規格として定められている。
【０００６】
LTR方式の無線通信システムでは、無線チャネルが制御用と通話用のいずれにも使用可能な機能を備えており、専用の制御チャネルは設けられていない。そして、無線チャネルが使用されていないときには、その無線チャネルでの送信が行われずにアイドル状態となっている。そこで、呼出を行う移動無線局は、いずれかの無線チャネルの帯域で電波が出力されていないことを確認すると直ちに、通話要求メッセージを送信するための処理を行う。他方、待受状態となっている他の移動無線局は、呼出メッセージが送られてくるタイミングを予め推測することができないので、無線基地局が管理する無線チャネルでの送信が行われていないときであっても、常に受信状態を維持するようにしている。そして、無線基地局から呼出メッセージを受信した移動無線局は、呼出メッセージ内の識別情報（ID情報）を判別し、自機の識別情報と一致する場合に限り通話チャネルへの移行などといった処理を行い、発信元の移動無線局との通話を開始させる。このように、LTR方式では、呼出があったときには直ちに移動無線局間でのリンクが確立されるという利点がある一方で、待受状態となっている移動無線局も常に受信動作を行わなければならないという問題がある。
【０００７】
また、ARIB方式の無線通信システムでは、例えば無線基地局が管理する複数の無線チャネルのうちの１つが専用の制御チャネルとして使用され、常に制御情報を送り続けるための連続送信状態となっている。そして、制御チャネル上で無線基地局から送られる制御情報には、報知情報や呼出情報などといった各種のメッセージが含まれている。ARIB方式の無線通信システムでは、このような制御チャネル上で送られる制御情報を複数のフレームからなるスーパーフレーム構造とし、スーパーフレーム内でどのフレームにどのような制御情報が含まれるかを指定可能にしている。ここで、スーパーフレームの構造に関する情報は、制御情報内の報知情報に含まれており、移動無線局が報知情報を受信することで、いずれのフレームで自機が呼び出されたかなどを識別することができる。こうして識別されたフレーム以外では他の移動無線局に対する呼出などが行われるので、各移動無線局は、識別されたフレームのみ受信動作を行い、それ以外のフレームでは受信動作を停止させることができる。
【０００８】
このように、ARIB方式の無線通信システムでは、制御情報をスーパーフレーム構造とすることで、移動無線局が間欠受信を行うことが可能になり、常に受信動作を行わなければならない場合に比べて、運用期間を長期化できるという利点がある。その一方で、呼出が行われるフレームが固定されてしまうことで、スーパーフレームが長くなるほど移動無線局間でのリンクを確立するまでに長い時間を要することになる。また、こうした陸上移動無線システムでは、各移動無線局を個別に呼び出す個別呼出の他に複数の移動無線局をグループとして一斉に呼び出すグループ呼出があり、移動無線局では複数のグループの同時待受を行う機能がある。このため、スーパーフレーム構造とした場合でも、結果的に複数のフレームを確認することが必要になり、スーパーフレーム構造とすることによる運用期間の長期化という利点が減少してしまうという問題がある。
【発明の開示】
【発明が解決しようとする課題】
【０００９】
一般的な陸上移動無線システムでは、利用者がPTT（Push-To-Talk）スイッチをオン操作（例えば押下）して通話を行う。そこで、PTTスイッチが押下されてから呼出処理が完了して通話が開始されるまでの期間は可能な限り短い方が好ましい。その一方で、電源として電池などを用いるポータブルタイプの移動無線局では、待受状態における消費電流によって電池の寿命が縮められてしまうことから、可能な限り消費電流を低減して運用期間を長期化させるのが好ましい。
【００１０】
この発明は、上記実状に鑑みてなされたものであり、短時間で通話を開始可能にするとともに、運用期間を長期化することができる無線通信システム、無線通信制御装置、無線通信装置及び無線通信方法を提供することを目的とする。
【課題を解決するための手段】
【００１１】
上記目的を達成するために、この発明の第１の観点に係る無線通信システムは、
制御チャネルと、該制御チャネル上で伝送される情報によって特定された複数の無線通信装置のいずれかに割当可能な複数の通話チャネルとを用いて無線通信を行う無線通信システムであって、
１つの制御チャネル上にて、少なくとも同期ワード、チャネル識別情報、制御情報の３つのエリアを有するフレーム構造の情報を、前記複数の無線通信装置の少なくとも１つに対して送信するチャネル制御装置を備え、
前記チャネル制御装置は、前記フレーム構造の情報に含まれるチャネル識別情報のエリアにて、制御情報のエリアで伝送される情報の種類を示す機能チャネル識別情報を送信し、
前記複数の無線通信装置はぞれぞれ、制御チャネル上にて前記フレーム構造の情報を受信したときに、前記フレーム構造の情報に含まれる機能チャネル識別情報の種類を判定することにより、制御情報のエリアにおける受信動作を、受信停止動作を含めた複数種類の動作のいずれかに設定する、
ことを特徴とする。
【００１２】
前記チャネル制御装置は、制御情報のエリアにて伝送される情報が報知メッセージ及び呼出メッセージとは異なるアイドルメッセージであるときに、機能チャネル識別情報としてアイドルメッセージを特定可能に指示するアイドル識別情報を送信し、
前記複数の無線通信装置はそれぞれ、受信した機能チャネル識別情報がアイドル識別情報であると判定したときに、当該機能チャネル識別情報と同一フレーム内における制御情報のエリアでの受信動作を、受信停止動作に切り換えてもよい。
【００１３】
前記チャネル制御装置は、制御情報のエリアにて伝送される情報が無線通信装置の側にて任意に受信すべきメッセージであるときに、機能チャネル識別情報としてアイドル識別情報を送信し、
前記複数の無線通信装置はそれぞれ、受信した機能チャネル識別情報がアイドル識別情報であると判定したときに、制御情報のエリアにおける受信動作を、自機の動作状態に応じて、情報の受信を継続させる動作と、受信停止動作のいずれかに設定してもよい。
【００１４】
前記チャネル制御装置は、前記フレーム構造の情報にランダムアクセスの送信許可及び禁止のいずれかを示すランダムアクセス制御情報を含めて、制御情報のエリアに後続するエリアにて送信し、
前記複数の無線通信装置はそれぞれ、制御情報のエリアでの受信動作を受信停止動作に切り換えたときに、ランダムアクセス制御情報のエリアにて受信を再開させる受信再開動作に切り換えてもよい。
【００１５】
この発明の第２の観点に係る無線通信制御装置は、
制御チャネルと、該制御チャネル上で伝送される情報によって特定された複数の無線通信装置のいずれかに割当可能な複数の通信チャネルとを用いた無線通信を制御する無線通信制御装置であって、
１つの制御チャネル上にて、少なくとも同期ワード、チャネル識別情報、制御情報の３つのエリアを有するフレーム構造の情報を前記複数の無線通信装置の少なくとも１つに対して送信するチャネル制御手段を備え、
前記チャネル制御手段は、前記フレーム構造の情報のうちでチャネル識別情報に含まれる機能チャネル識別情報のエリアにて、制御情報のエリアで伝送される情報の種類を示す機能チャネル識別情報を送信する、
ことを特徴とする。
【００１６】
前記チャネル制御手段は、制御情報のエリアにて伝送される情報が報知メッセージ及び呼出メッセージとは異なるアイドルメッセージであるときに、機能チャネル識別情報としてアイドルメッセージを特定可能に指示するアイドル識別情報を送信してもよい。
【００１７】
前記チャネル制御手段は、制御情報のエリアにて伝送される情報が無線通信装置の側にて任意に受信すべきメッセージであるときに、機能チャネル識別情報として任意の受信を指示する識別情報を送信してもよい。
【００１８】
この発明の第３の観点に係る無線通信装置は、
制御チャネルと、該制御チャネル上で伝送される情報によって割り当てられる通信チャネルとを用いた無線通信を行う無線通信装置であって、
１つの制御チャネル上にて、少なくとも同期ワード、チャネル識別情報、制御情報の３つのエリアを有するフレーム構造の情報であって、制御情報のエリアで伝送される情報の種類を示す機能チャネル識別情報がチャネル識別情報のエリアにて伝送される情報を、無線基地局から受信する制御チャネル伝送情報受信手段と、
前記制御チャネル伝送情報受信手段によって受信した前記フレーム構造の情報に含まれる機能チャネル識別情報の種類を判定することにより、制御情報のエリアにおける受信動作を、受信停止動作を含めた複数種類の動作のいずれかに設定する動作制御手段とを備える、
ことを特徴とする。
【００１９】
前記動作制御手段は、前記制御チャネル伝送情報受信手段によって受信した機能チャネル識別情報が、制御情報のエリアにて伝送される情報として報知メッセージ及び呼出メッセージとは異なるアイドルメッセージを特定可能に指示するアイドル識別情報であると判定したときに、当該機能チャネル識別情報と同一フレーム内における制御情報のエリアでの受信動作を、受信停止動作に切り換えてもよい。
【００２０】
前記動作制御手段は、
前記制御チャネル伝送情報受信手段によって受信した機能チャネル識別情報が、制御情報のエリアにて伝送される情報として報知メッセージあるいは呼出メッセージを特定可能に指示する識別情報であると判定したときに、当該機能チャネル識別情報と同一フレーム内における制御情報のエリアでの受信動作を、情報の受信を継続させる動作に設定し、
前記制御チャネル伝送情報受信手段によって受信した機能チャネル識別情報が、制御情報のエリアにて伝送される情報として報知メッセージ及び呼出メッセージとは異なるアイドルメッセージを特定可能に指示するアイドル識別情報であると判定したときに、当該機能チャネル識別情報と同一フレーム内における制御情報のエリアでの受信動作を、自機の動作状態に応じて、情報の受信を継続させる動作と、受信停止動作のいずれかに設定してもよい。
【００２１】
この発明の第４の観点に係る無線通信方法は、
制御チャネルと、該制御チャネル上で伝送される情報によって特定された複数の無線通信装置のいずれかに割当可能な複数の通話チャネルとを用いて無線通信を行う無線通信方法であって、
１つの制御チャネル上にて、少なくとも同期ワード、チャネル識別情報、制御情報の３つのエリアを有するフレーム構造の情報を、無線基地局から前記複数の無線通信装置の少なくとも１つに対して送信し、
前記フレーム構造の情報に含まれる機能チャネル識別情報のエリアにて、制御情報のエリアで伝送される情報の種類を示す機能チャネル識別情報を送信し、
前記複数の無線通信装置がぞれぞれ、制御チャネル上にて前記フレーム構造の情報を受信したときに、前記フレーム構造の情報に含まれる機能チャネル識別情報の種類を判定することにより、制御情報のエリアにおける受信動作を、受信停止動作を含めた複数種類の動作のいずれかに設定する、
ことを特徴とする。
【００２２】
ここで、制御情報のエリアにて伝送される情報が報知メッセージ及び呼出メッセージとは異なるアイドルメッセージであるときに、機能チャネル識別情報としてアイドルメッセージを特定可能に指示するアイドル識別情報を前記無線基地局から送信し、
前記複数の無線通信装置がそれぞれ、受信した機能チャネル識別情報がアイドル識別情報であると判定したときに、当該機能チャネル識別情報と同一フレーム内における制御情報のエリアでの受信動作を、受信停止動作に切り換えてもよい。
【００２３】
制御情報のエリアにて伝送される情報が無線通信装置の側にて任意に受信すべきメッセージであるときに、機能チャネル識別情報としてアイドル識別情報を前記無線基地局から送信し、
前記複数の無線通信装置がそれぞれ、受信した機能チャネル識別情報がアイドル識別情報であると判定したときに、制御情報のエリアにおける受信動作を、自機の動作状態に応じて、情報の受信を継続させる動作と、受信停止動作のいずれかに設定してもよい。
【００２４】
また、前記フレーム構造の情報にランダムアクセスの送信許可及び禁止のいずれかを示すランダムアクセス制御情報を含めて、制御情報のエリアに後続するエリアにて送信し、
前記複数の無線通信装置がそれぞれ、制御情報のエリアでの受信動作を受信停止動作に切り換えたときに、ランダムアクセス制御情報のエリアにて受信を再開させる受信再開動作を切り換えてもよい。
【発明の効果】
【００２５】
本発明によれば、移動無線局となる無線通信装置において、短時間で通話を開始可能にしつつ、間欠受信の頻度が高められることにより運用期間を長期化することができる。
【発明を実施するための最良の形態】
【００２６】
以下に、図面を参照して、この発明の実施の形態に係る無線通信システム１００について詳細に説明する。この無線通信システム１００は、例えば図１に示すように、少なくとも１つ（一般的には複数）の無線基地局にそれぞれ配置された回線制御装置１０１と、少なくとも１つ（一般的には複数）の移動無線局としての移動送受信装置１０２とを含んでいる。図１では、一例として、１つの回線制御装置１０１と、２つの移動送受信装置１０２とが示されている。無線通信システム１００は、複数の移動送受信装置１０２が所定数の無線チャネルを共用して無線基地局との間で無線周波数（RF；Radio Frequency）信号を送受信することによって無線通信を行うトランク方式の無線通信システムであればよい。各移動送受信装置１０２は、ＲＦリンクや回線制御装置１０１を介して、他の移動送受信装置１０２や回線制御装置１０１に接続された他の通信端末装置との間での音声通話（会話）を可能にする。
【００２７】
回線制御装置１０１は、複数の周波数帯に分割されて配備された複数の無線チャネルを管理しており、各移動送受信装置１０２に対する無線チャネルの割当制御を行う無線通信チャネル制御装置としての機能を備えている。すなわち、回線制御装置１０１は、複数の無線チャネルを、制御チャネルと、該制御チャネル上で伝送される情報によって特定された移動送受信装置１０２のいずれかに割当可能な複数の通話チャネルとして用いた無線通信を制御して、各移動送受信装置１０２に対して音声通話などの無線通信サービスを提供可能にする。
【００２８】
この実施の形態では、回線制御装置１０１から各移動送受信装置１０２に対して、図２（Ａ）及び（Ｂ）に示すようなフレーム構造を有する情報が、制御チャネル上にて送信される。図２（Ａ）に示すように、回線制御装置１０１から制御チャネル上にて送信される情報は、同期ワード３１のエリアと、チャネル識別情報３２のエリアと、制御情報３３のエリアとを含んでいる。
【００２９】
同期ワード３１は、回線制御装置１０１と各移動送受信装置１０２との間での無線通信において同期を確立するための同期処理に用いられ、例えば所定の符号パターンを有している。チャネル識別情報３２は、各移動送受信装置１０２にて無線チャネルや機能チャネルを識別するために用いられる。チャネル識別情報３２のエリアは、図２（Ｂ）に示すように、無線チャネル識別情報３２Ａのエリアと、機能チャネル識別情報３２Ｂのエリアとを含んでいる。制御情報３３は、報知メッセージや、呼出メッセージ、あるいは他の通信制御に関するメッセージを示している。
【００３０】
制御情報３３が報知メッセージであるときには、無線通信システム１００に固有の情報や、無線チャネルのうちで制御用途に使われる制御チャネルにおける構造を示す情報などが含まれている。制御情報３３が呼出メッセージであるときには、発信側の通信端末装置から移動送受信装置１０２が呼出を受けたことに対応して、回線制御装置１０１によって移動送受信装置１０２に割り当てられた通話チャネルを示す情報などが含まれている。例えば、待受状態にある移動送受信装置１０２が制御チャネル上にて伝送された自機（あるいは自機が属するグループ）に宛てられた呼出メッセージを受信したときには、その呼出メッセージで示された通話チャネルに移行することで、発信側の端末との間での通話が可能になる。
【００３１】
この実施の形態では、制御情報３３として、報知メッセージや呼出メッセージとは異なるアイドルメッセージが、回線制御装置１０１から各移動送受信装置１０２に対して送信可能に用意されている。アイドルメッセージは、制御情報３３のエリアにて伝送される情報が移動送受信装置１０２にとって特有の意味を持たないことを示している。すなわち、制御情報３３がアイドルメッセージであるときには、制御情報３３のエリアが移動送受信装置１０２にとっては未使用状態と同義になり、移動送受信装置１０２の側にて受信する必要がないものとなる。
【００３２】
図２（Ｂ）に示す無線チャネル識別情報３２Ａは、その無線チャネル識別情報３２Ａを伝送している無線チャネルが制御用の無線チャネルとしての制御チャネルであるか、通話用の無線チャネルとしての通話チャネルであるかを示している。機能チャネル識別情報３２Ｂは、同一のフレーム内で伝送される制御情報３３の種類を示している。すなわち、機能チャネル識別情報３２Ｂは、チャネル識別情報３２のエリアに続けて制御情報３３のエリアにて伝送される情報が、報知メッセージ、呼出メッセージ、あるいは他のメッセージのいずれであるかを示している。ここで、制御情報３３のエリアにて伝送される情報が、報知メッセージや呼出メッセージとは異なるアイドルメッセージであるときには、機能チャネル識別情報３２Ｂのエリアにて制御情報３３がアイドルメッセージであることを特定可能に示すアイドル識別情報が伝送される。
【００３３】
図１には、移動送受信装置１０２の一構成例も示されている。移動送受信装置１０２は、アンテナ５１と、通信処理部５２と、電源部５３と、音声処理部５４と、PTTスイッチ５５と、動作制御部５６とを備えている。
【００３４】
アンテナ５１は、無線基地局から発信されたＲＦ信号を受信するとともに、無線基地局に対してＲＦ信号を発信するためのものである。アンテナ５１は、通信処理部５２に結合されている。通信処理部５２は、アンテナ５１により受信したＲＦ信号から受信データを復調する受信機能と、音声処理部５４や動作制御部５６にて生成された送信データに基づく変調動作を行ってアンテナ５１からＲＦ信号を送信する送信機能とを備えている。
【００３５】
電源部５３は、電池などの電力供給源や電圧安定化回路などの電源回路を備えて構成され、移動送受信装置１０２の各部位に電力を供給する。ここで、電源部５３から通信処理部５２への電力供給動作は、動作制御部５６の制御によって、電力が供給される供給状態と、電力供給が停止される遮断状態とで切換可能とされていてもよい。
【００３６】
音声処理部５４は、例えばマイクロフォンやスピーカ、アンプ回路、音声符号化／復号化回路などから構成され、外部から取り込んだ音声に対応する音声信号をデジタル化した音声データを生成したり、通信処理部５２にて復調された音声データを音声に変換して外部に出力したりする。
【００３７】
PTTスイッチ５５は、利用者によってオン操作（例えば押下）されることにより、移動送受信装置１０２から無線基地局に対して他の移動送受信装置１０２や通信端末装置に対する呼出の要求がなされる。例えば、移動送受信装置１０２が待受状態にあるときにPTTスイッチ５５が押下されると、制御チャネル上にて通話要求メッセージを無線基地局へと送信することで、通話チャネルの割当てが要求される。
【００３８】
動作制御部５６は、例えばMPU（MicroProcessor Unit）等から構成され、移動送受信装置１０２における各部位の動作を制御するためのものである。この実施の形態では、動作制御部５６が、制御チャネル上で無線基地局から送信された機能チャネル識別情報の種類を判定することにより、制御情報３３のエリアが移動送受信装置１０２へと到達する期間における通信処理部５２の受信動作を、受信停止動作を含めた複数種類の動作のいずれかに切換可能とする制御を行う。ここで、機能チャネル識別情報がアイドル識別情報であると判定したときには、動作制御部５６が、制御情報３３のエリアにおける通信処理部５２の受信動作を、受信停止動作に切り換える。また、通信処理部５２を受信停止動作に切り換えるときには、電源部５３から通信処理部５２への電力供給を停止する遮断状態に切り換えてもよい。
【００３９】
以下に、この発明の実施の形態に係る無線通信システム１００における回線制御装置１０１及び移動送受信装置１０２の動作を説明する。図３は、回線制御装置１０１にて実行される制御チャネル通信処理の一例を示すフローチャートである。図３に示す制御チャネル通信処理は、移動送受信装置１０２が制御チャネル上で回線制御装置１０１との間での無線通信を行っているときに、回線制御装置１０１から移動送受信装置１０２に対して回線制御などに関する各種の情報を送信するための処理であり、例えば移動送受信装置１０２が制御チャネル上での送受信処理を開始したことに応答して実行される。
【００４０】
図３に示す制御チャネル通信処理を開始すると、回線制御装置１０１は、まず、例えばチャネル割当ての更新などといった、無線チャネルのいずれかを制御チャネルとして使用するための初期設定を行う（ステップＳ１０１）。ここで、回線制御装置１０１は、例えば自らが管理する複数の無線チャネルのうちのいずれかを制御チャネルとして動的に選択して使用することができてもよい。この場合には、チャネル割当てを更新することにより、制御チャネルの再割当てを可能にすればよい。
【００４１】
こうして回線制御装置１０１が制御チャネル上で情報を送信するための初期設定を完了したことに続いて、図２（Ａ）及び（Ｂ）に示すフレーム構造を有する情報のうちで、回線制御装置１０１の側にて制御情報３３のエリアに組み込むものとされた送信対象情報（メッセージ）を特定する（ステップＳ１０２）。このときには、送信対象情報が存在しているか否かを判定する（ステップＳ１０３）。
【００４２】
ステップＳ１０３にて送信対象情報が存在している旨の判定がなされたときには（ステップＳ１０３；Ｙｅｓ）、その送信対象情報が移動送受信装置１０２に対して通知しなくてもよいメッセージであるか否かを判定する（ステップＳ１０４）。ここで、送信対象情報が移動送受信装置１０２に対して通知する必要のあるメッセージであるか否かの判定は、無線通信システム１００の仕様に基づいて行われるものであればよい。
【００４３】
ステップＳ１０３にて送信対象情報が存在しない旨の判定がなされたときや（ステップＳ１０３；Ｎｏ）、ステップＳ１０４にて通知が不要なメッセージである旨の判定がなされたときには（ステップＳ１０４；Ｙｅｓ）、移動送受信装置１０２に対して通知する必要のあるメッセージが存在しないことから、制御情報３３のエリアを予め用意されたアイドルメッセージに変更する（ステップＳ１０５）。また、このときには、同一フレーム内における機能チャネル識別情報３２Ｂのエリアにて送信する情報を、アイドル識別情報に設定する（ステップＳ１０６）。
【００４４】
ステップＳ１０４にて移動送受信装置１０２へ通知する必要のあるメッセージである旨の判定がなされたときには（ステップＳ１０４；Ｎｏ）、ステップＳ１０２にて特定した送信対象情報を制御情報３３のエリアに設定するとともに、同一フレーム内における機能チャネル識別情報３２Ｂのエリアにて送信する情報を、制御情報３３のエリアに設定した送信対象情報の内容に対応して設定する（ステップＳ１０７）。これにより、呼出メッセージを送信対象として制御情報３３のエリアに設定するフレームを固定せずに送信しても、移動送受信装置１０２の側で機能チャネル識別情報３２Ｂのエリアを読み取ることにより、呼出メッセージが含まれるフレームを特定することができる。すなわち、移動送受信装置１０２は、制御情報３３のエリアを読み取ることなく、呼出メッセージが含まれるフレームを特定することができる。
【００４５】
このようにして１フレーム分の送信対象となる情報が構成されると、回線制御装置１０１は、制御チャネル上で各移動送受信装置１０２へと１フレーム分の情報を送信する（ステップＳ１０８）。その後、回線制御装置１０１は、制御チャネルに関する設定を変更するか否かを判定する（ステップＳ１０９）。例えば、制御チャネルとして使用していた無線チャネルを通話チャネルとして使用するときや、通話チャネルとして使用していた無線チャネルを制御チャネルに再割当てするときなどには、制御チャネルに関する設定を変更する必要がある。
【００４６】
ステップＳ１０９にて制御チャネルに関する設定を変更する旨の判定がなされたときには（ステップＳ１０９；Ｙｅｓ）、図３に示す制御チャネル通信処理を終了して、制御チャネルに関する設定を変更するために予め用意された処理の実行を開始する。これに対して、ステップＳ１０９にて制御チャネルに関する設定を変更しない旨の判定がなされたときには（ステップＳ１０９；Ｎｏ）、ステップＳ１０２の処理にリターンすることで、次のフレームにて情報を送信するための処理が続けて実行されることになる。
【００４７】
図４は、移動送受信装置１０２が制御チャネル上で回線制御装置１０１から送られた情報を受信するために実行する制御チャネル受信処理の一例を示すフローチャートである。図４に示す制御チャネル受信処理を開始すると、移動送受信装置１０２は、まず、制御チャネル上で回線制御装置１０１から送られる情報の受信を開始するための初期設定を行う（ステップＳ１２１）。例えば、通信処理部５２は、動作制御部５６の制御により、音声通話中に用いていた通話チャネルから制御チャネルへ移行した後や、回線制御装置１０１での設定により再割当てがなされた制御チャネルへ移行した後などに、制御チャネル上で受信した同期ワード３１によりフレーム同期を確立して、制御チャネル上で回線制御装置１０１から送られる情報を受信可能に設定する。
【００４８】
こうして制御チャネル上での通信を開始すると、通信処理部５２が復調した受信データを動作制御部５６に送り、動作制御部５６が受信データに含まれる機能チャネル識別情報３２Ｂを読み取る（ステップＳ１２２）。そして、このとき読み取った機能チャネル識別情報３２Ｂが、アイドル識別情報であるか否かを判定する（ステップＳ１２３）。
【００４９】
ステップＳ１２３にてアイドル識別情報である旨の判定がなされた場合には（ステップＳ１２３；Ｙｅｓ）、さらに、図２（Ａ）に示すようなフレーム構造を有する情報のうちで制御情報３３のエリアを受信する期間となったか否かを判定する（ステップＳ１２４）。ここで、機能チャネル識別情報３２Ｂのエリアが制御情報３３のエリアの直前に配置されている場合には、ステップＳ１２３にてアイドル識別情報である旨の判定がなされた時点で、直ちに制御情報３３のエリアを受信する期間となった旨の判定を行うようにすればよい。ステップＳ１２３にてアイドル識別情報ではない旨の判定がなされた場合には（ステップＳ１２３；Ｎｏ）、制御チャネル上で伝送される情報を受信する受信動作を継続させる（ステップＳ１２５）。ステップＳ１２４にて制御情報３３のエリアを受信する期間ではない旨の判定がなされた場合には（ステップＳ１２４；Ｎｏ）、ステップＳ１２４の処理を繰り返し実行して、制御情報３３のエリアを受信する期間となるまで待機すればよい。このときには、制御情報３３のエリアを受信する期間となるまで、例えばステップＳ１２５の処理と同様に、制御チャネル上で伝送される情報を受信する受信動作を継続させてもよい。
【００５０】
これに対して、ステップＳ１２４にて制御情報３３のエリアを受信する期間となった旨の判定がなされたときには（ステップＳ１２４；Ｙｅｓ）、動作制御部５６が通信処理部５２における動作を、制御チャネル上で回線制御装置１０１から送られる情報の受信を停止させる受信停止動作とする制御を行う（ステップＳ１２６）。このとき、動作制御部５６は、電源部５３から通信処理部５２への電力供給を遮断することで、通信処理部５２を受信停止状態としてもよい。
【００５１】
ステップＳ１２６にて受信停止動作とする制御を行った後には、例えば所定のタイマによって制御情報３３のエリアの後端が到来するタイミングとなったか否かを判定するなどして、１フレーム分の情報受信が終了するタイミングとなったか否かを判定する（ステップＳ１２７）。このとき、１フレーム分の情報受信が終了するタイミングに達していないと判定された場合には（ステップＳ１２７；Ｎｏ）、ステップＳ１２６の処理にリターンして、受信停止状態を継続させる。
【００５２】
ステップＳ１２７にて１フレーム分の情報受信が終了するタイミングに達した旨の判定がなされた場合には（ステップＳ１２７；Ｙｅｓ）、動作制御部５６が通信処理部５２における動作を、制御チャネル上で回線制御装置１０１から送られる情報の受信を再開させる受信再開動作とする制御を行う（ステップＳ１２８）。このとき、動作制御部５６は、電源部５３から通信処理部５２への電力供給を再開することで、通信処理部５２における受信動作を再開させてもよい。
【００５３】
こうしてステップＳ１２５あるいはステップＳ１２８の処理が実行された後には、例えば制御チャネルから通話チャネルへの移行や、回線制御装置１０１での設定により再割当てが行われた制御チャネルへの移行などといった、無線チャネルの移行を行うか否かを判定する（ステップＳ１２９）。このとき、移動送受信装置１０２にて使用する無線チャネルを移行する旨の判定がなされた場合には（ステップＳ１２９；Ｙｅｓ）、無線チャネルを移行するために予め用意された処理を実行するなどして、各種の設定を行う（ステップＳ１３０）。これに対して、ステップＳ１２９にて無線チャネルの移行を行わない旨の判定がなされた場合には（ステップＳ１２９；Ｎｏ）、ステップＳ１２２の処理にリターンすることで、次のフレームにて伝送される情報を受信するための処理が続けて実行されることになる。
【００５４】
次に、回線制御装置１０１が制御チャネル上で移動送受信装置１０２に対して情報を送信する動作と、移動送受信装置１０２が制御チャネル上で回線制御装置１０１から送られた情報を受信する動作の具体的な一例について、図５（Ａ）及び（Ｂ）を参照して説明する。図５（Ａ）は、回線制御装置１０１が制御チャネル上で移動送受信装置１０２に対して情報を送信する動作のタイミング図であり、図５（Ｂ）は、移動送受信装置１０２が制御チャネル上で回線制御装置１０１から送られた情報を受信する動作のタイミング図である。
【００５５】
例えば、図５（Ａ）に示すように、回線制御装置１０１は、タイミングＴ１にて１つ目のフレームに含まれる情報の送信を開始する。この１つ目のフレームでは、移動送受信装置１０２に対して通知する必要のある報知メッセージが、制御情報３３のエリアに含まれているものとする。この場合、チャネル識別情報３２のエリアに含まれる機能チャネル識別情報３２Ｂは、制御情報３３のエリアにて伝送される情報が報知メッセージであることを示している。
【００５６】
移動送受信装置１０２では、１つ目のフレームに含まれる機能チャネル識別情報３２Ｂが報知メッセージを示していることから、動作制御部５６が図４に示すステップＳ１２３の処理にてアイドル識別情報ではないと判定する（ステップＳ１２３；Ｎｏ）。この判定結果に基づき、図４に示すステップＳ１２５の処理が実行されることにより、図５（Ｂ）に示すように、制御情報３３のエリアを受信する期間であるタイミングＴ２以後の期間においても、制御チャネル上で送られる情報の受信動作が継続される。
【００５７】
続いて、回線制御装置１０１は、図５（Ａ）に示すように、タイミングＴ３にて２つ目のフレームに含まれる情報の送信を開始する。この２つ目のフレームでは、例えば図３に示すステップＳ１０３の処理やステップＳ１０４の処理にて、報知メッセージや呼出メッセージなどの送信対象となる有効なメッセージが存在しないと判定されたものとする（ステップＳ１０３；ＮｏまたはステップＳ１０４；Ｙｅｓ）。そこで、回線制御装置１０１では、図３に示すステップＳ１０５の処理が実行されることにより、２つ目のフレームにおける制御情報３３のエリアにアイドルメッセージが設定される。また、このときには、図３に示すステップＳ１０６の処理が実行されることにより、同一フレームに含まれる機能チャネル識別情報３２Ｂがアイドルメッセージを示すアイドル識別情報に設定される。
【００５８】
移動送受信装置１０２では、図４に示すステップＳ１２３の処理にて、２つ目のフレームに含まれる機能チャネル識別情報３２Ｂがアイドルメッセージを示すアイドル識別情報であると判定する。そこで、動作制御部５６は、図４に示すステップＳ１２４の処理で制御情報３３のエリアを受信する期間であると判定されるタイミングＴ４において、図４に示すステップＳ１２６の処理を実行することにより、通信処理部５２の動作を受信停止動作へと切り換える制御を行う。この後、動作制御部５６は、制御情報３３のエリアを受信する期間が終了して１フレーム分の情報受信が終了するタイミングＴ５となるまで、図４に示すステップＳ１２６の処理を繰り返し実行することにより、通信処理部５２を受信停止状態に維持する。タイミングＴ５に達したときには、図４に示すステップＳ１２８の処理を実行することにより、通信処理部５２の動作を受信再開動作へと切り換える制御を行う。こうしてタイミングＴ５以降の期間では、通信処理部５２による受信動作が再び実行されることになる。
【００５９】
また、タイミングＴ５において、回線制御装置１０１は、図５（Ａ）に示すように、３つ目のフレームに含まれる情報の送信を開始する。この３つ目のフレームでは、２つ目のフレームに引き続き図３に示すステップＳ１０３の処理にて送信対象となるメッセージが存在しないと判定されたり（ステップＳ１０３；Ｎｏ）、あるいは、ステップＳ１０４の処理にて移動送受信装置１０２に対して通知しなくてもよいメッセージである旨の判定がなされたものとする（ステップＳ１０４；Ｙｅｓ）。この場合、回線制御装置１０１では、２つ目のフレームを送信する際と同様にして、３つ目のフレームにおける制御情報３３のエリアにアイドルメッセージが設定される。また、同一フレームに含まれる機能チャネル識別情報３２Ｂがアイドル識別情報に設定される。
【００６０】
移動送受信装置１０２では、図４に示すステップＳ１２３の処理にて、３つ目のフレームに含まれる機能チャネル識別情報３２Ｂがアイドル識別情報であると判定する。そこで、動作制御部５６は、２つ目のフレームを受信したときと同様にして、制御情報３３のエリアを受信する期間であると判定されるタイミングＴ６において、通信処理部５２の動作を受信停止動作へと切り換える制御を行う。この後、動作制御部５６は、３つ目のフレームに含まれる情報の受信が終了するタイミングＴ７となるまで、通信処理部５２を受信停止状態に維持する。そして、タイミングＴ７に達すると、通信処理部５２の動作が受信再開動作へと切り換えられ、タイミングＴ７以降の期間において、受信動作が再び実行されることになる。
【００６１】
以上説明したように、この発明によれば、回線制御装置１０１から制御チャネルを介して移動送受信装置１０２に対して送信されるフレーム構造を有する情報が、制御情報３３のエリアにて伝送される情報の種類を示す機能チャネル識別情報３２Ｂのエリアを含んでいる。そして、移動送受信装置１０２は、図４に示すステップＳ１２２の処理にて読み取った機能チャネル識別情報３２Ｂに基づき、例えば機能チャネル識別情報３２Ｂがアイドル識別情報であるときには受信停止動作に切り換える一方で、アイドル識別情報以外であるときには受信動作を継続させるなど、制御情報３３のエリアにおける受信動作を、受信停止動作を含めた複数種類の動作のいずれかに切り換えることができる。こうした機能チャネル識別情報３２Ｂを用いることにより、移動送受信装置１０２では、任意のフレームで呼出メッセージが送られたことを検出することができるので、音声通話のために通話チャネルの割当てを受けて制御チャネルから移行するまでの所要時間を短縮することができ、短時間で相手先の通信端末装置との間での通信リンクを確立して通話を開始することができる。
【００６２】
また、移動送受信装置１０２から無線基地局に設けられた回線制御装置１０１に対する通話要求メッセージの発生頻度が少ない状況では、回線制御装置１０１の側にて制御情報３３のエリアに報知メッセージを送信対象として設定すべきとされることが多くなる。その一方で、移動送受信装置１０２の側では、同一の報知メッセージを受信し続けても、回線制御の点からして格別の作用を生じさせるものではない。そこで、回線制御装置１０１は、図３に示すステップＳ１０３やステップＳ１０４の処理により移動送受信装置１０２に対して通知する必要のある有効なメッセージが存在しないと判断したときに、制御情報３３のエリアにアイドルメッセージを設定するとともに、同一フレーム内の機能チャネル識別情報３２Ｂをアイドル識別情報に設定する。これにより、移動送受信装置１０２は、機能チャネル識別情報３２Ｂがアイドル識別情報であるときに制御情報３３のエリアにおける受信動作を受信停止動作に切り換えることで制御チャネル上での間欠受信が可能となり、通信処理部５２の動作による消費電力を低減させて運用期間を長期化することができる。
【００６３】
この発明は、上記実施の形態に限定されるものではなく、様々な変形及び応用が可能である。すなわち、上記実施の形態では、回線制御装置１０１から制御チャネル上で移動送受信装置１０２に対して送信される情報が、図２に示すようなフレーム構造を有するものとして説明したが、これとは異なるフレーム構造を有するものであってもよい。具体的な一例として、図６に示すようなランダムアクセス制御情報３５のエリアを含んだフレーム構造を有していてもよい。
【００６４】
ここで、無線通信システム１００がスロットアロハ（Slotted ALOHA）方式のランダムアクセスを提供する場合、移動送受信装置１０２にてPTTスイッチ５５がオン操作（例えば押下）されたことに応答して、制御チャネル上で移動送受信装置１０２から回線制御装置１０１に対して直ちに通話要求メッセージが送られることになる。そして、回線制御装置１０１の側では、無線チャネルの空き状況をチェックするなどして、ランダムアクセスの送信許可及び禁止のいずれかを示すアクセス制御情報を返す必要がある。このときに、図２に示すようなフレーム構造を有する情報のうちで、制御情報３３のエリアにアクセス制御情報を設定することが考えられる。しかしながら、このような設定の場合、制御チャネルの回線効率を劣化させないためには、制御情報３３のエリアにアイドルメッセージ以外の情報を設定しなければならない回数が増大する。そのため、移動送受信装置１０２の側で間欠受信となる頻度も低下することになる。
【００６５】
そこで、図６に示すように、ランダムアクセス制御情報３５のエリアを、制御情報３３のエリアとは分離して、制御情報３３のエリアに後続する位置に配置する。そして、ランダムアクセスの送信許可及び禁止のいずれかを示すアクセス制御情報は、ランダムアクセス制御情報３５のエリアに設定すればよい。これにより、制御チャネルの回線効率が劣化することを防止できるとともに、制御情報３３のエリアにアイドルメッセージを設定できる回数が減少することもない。
【００６６】
また、無線通信システム１００が提供するランダムアクセスは、スロットアロハ方式のものに限らず、例えばARIB-T61方式でも使用されているICMA-PE（Idle signal Casting Multiple Access-Pertial Echo）方式のものであってもよい。この場合、回線制御装置１０１は、ランダムアクセス制御情報３５のエリアに、無線チャネルが使用中（busy）であるか未使用（idle）であるかを示すbusy/idle情報や、各移動送受信装置１０２から送信された上り情報の一部を部分エコーとした衝突制御情報などを設定すればよい。
【００６７】
こうした図６に示すようなランダムアクセス制御情報３５のエリアを含んだフレーム構造としたときには、図４のフローチャートに示す処理を以下のように変更した処理を実行すればよい。すなわち、移動送受信装置１０２は、図４に示すステップＳ１２４の処理にて制御情報３３のエリアを受信する期間となった旨の判定がなされことにより、ステップＳ１２６の処理にて受信停止動作に切り換えた後に、ステップＳ１２７の処理に代えて、制御情報３３のエリアを受信する期間が終了してランダムアクセス制御情報３５のエリアを受信する期間となったか否かを判定する。このとき、ランダムアクセス制御情報３５のエリアを受信する期間となった旨の判定がなされた場合には、図４に示すステップＳ１２８の処理に進んで、受信再開動作に切り換えるようにすればよい。その一方で、ランダムアクセス制御情報３５のエリアを受信する期間ではないとの判定がなされた場合には、ステップＳ１２６の処理にリターンして、受信停止状態を継続させればよい。
【００６８】
このように、ランダムアクセス制御情報３５のエリアを制御情報３３のエリアとは分離して、制御情報３３のエリアに後続する位置に配置することで、制御情報３３のエリアにアイドルメッセージが設定される回数が増大し、移動送受信装置１０２の側で間欠受信となる頻度を向上させて運用期間を長期化することができる。また、移動送受信装置１０２からのランダムアクセスに応答して迅速な通話チャネルの割当てや制御チャネルからの移行が可能であり、短時間で相手先の通信端末装置との間での通信リンクを確立して通話を開始することができる。
【００６９】
また、無線通信システム１００の使用環境によっては、予約型の呼出動作が許容される場合もある。この場合には、ARIB-T61方式と同様に、制御情報をスーパーフレーム構造としても不都合はない。そこで、制御情報をスーパーフレーム構造としつつ、さらに上記実施の形態と同様に機能チャネル識別情報３２Ｂのエリアを設けることで、移動送受信装置１０２の側で受信する必要のない制御情報を識別できるようにしてもよい。この場合、移動送受信装置１０２は、機能チャネル識別情報３２Ｂに基づき、受信する必要のない制御情報が伝送される期間では受信停止動作に切り換えるようにすることで、より効率のよい間欠受信を行うことが可能になる。
【００７０】
上記実施の形態では、回線制御装置１０１において、制御情報３３のエリアにアイドルメッセージが設定されるときに、同一フレーム内における機能チャネル識別情報３２Ｂのエリアにて送信する情報を、アイドル識別情報に設定した。そして、移動送受信装置１０２では、機能チャネル識別情報３２Ｂがアイドル識別情報であるときに、制御情報３３のエリアを受信する期間において受信停止動作とする制御を行うものとして説明した。しかしながら、この発明はこれに限定されるものではなく、例えば制御情報３３のエリアに報知メッセージが設定されるときなどに、機能チャネル識別情報３２Ｂのエリアにて送信する情報を、アイドル識別情報に設定するなどしてもよい。
【００７１】
ここで、ある無線基地局の制御チャネルをモニターして待ち受け状態となっている移動局としての移動送受信装置１０２にとっては、報知メッセージの内容が変わらない限り、報知メッセージを繰り返し受信する必要はない。これに対して、無線通信システム１００が複数の無線基地局を備えている場合、移動局としての移動送受信装置１０２は、各無線基地局により提供される制御チャネルの電界強度を監視している。そして、最も強い制御チャネルを持つ無線基地局に移行することができる。このように、複数の無線基地局を備える場合には、一般的に、移動局としての移動送受信装置１０２が現在どの無線基地局のエリアにいるのかを把握しておく必要がある。そのため、移動送受信装置１０２は、新しい無線基地局に移行したときに、位置登録処理を行う。この位置登録処理を行う条件として、移動送受信装置１０２は、その無線基地局が有効かどうかを判断する必要がある。このとき、報知メッセージに含まれるシステムに関する情報を読み取ることで、有効な基地局であるか否かを判断することができる。
【００７２】
このように複数の無線基地局間で制御チャネルの移行が可能な移動送受信装置１０２にとっては、頻繁に報知メッセージが送信されれば、無線基地局が有効であるか否かを短時間に判断することができて好都合となる。しかしながら、位置登録処理が終了して制御チャネル上で待ち受け状態となった後には、頻繁に報知メッセージが送信されると、移動送受信装置１０２の側で間欠受信となる頻度が低下することになる。
【００７３】
そこで、無線基地局に配置された回線制御装置１０１では、移動送受信装置１０２が必ず受信しなければならない報知メッセージを送信対象情報とするときに、機能チャネル識別情報３２Ｂのエリアにて送信する情報を、報知メッセージを示す識別情報に設定する。その一方で、制御情報３３のエリアには、報知メッセージを設定する。
これに対して、移動送受信装置１０２が任意に受信すればよい報知メッセージを送信対象情報とするときには、機能チャネル識別情報３２Ｂのエリアにて送信する情報を、アイドル識別情報に設定する一方で、制御情報３３のエリアには、報知メッセージを設定する。
【００７４】
この場合、移動送受信装置１０２は、機能チャネル識別情報３２Ｂがアイドル識別情報となっているときであっても、自機の動作状態に応じて、制御情報３３のエリアを受信するかどうかを判断すればよい。例えば、同一の無線基地局から提供される制御チャネル上にて待ち受け状態となっている移動送受信装置１０２では、機能チャネル識別情報３２Ｂが報知メッセージあるいは呼出メッセージを示す識別情報であるときのみ制御情報３３のエリアを受信し、機能チャネル識別情報３２Ｂがアイドル識別情報であるときには、制御情報３３のエリアを受信する期間において受信停止動作に切り換える。これに対して、他の無線基地局から移動してきた移動送受信装置１０２では、機能チャネル識別情報３２Ｂがアイドル識別情報であるときにも、制御情報３３のエリアに有効なメッセージが含まれていると判断して、メッセージの受信を行うようにする。これにより、位置登録処理に必要なシステムに関する情報を、即座に取得することが可能になる。
【００７５】
さらに、制御情報３３のエリアに報知メッセージが設定されるときに機能チャネル識別情報３２Ｂをアイドル識別情報に設定するもの限定されず、報知メッセージ以外のメッセージを制御情報３３のエリアに設定するときに、機能チャネル識別情報３２Ｂをアイドル識別情報に設定するようにしてもよい。あるいは、アイドル識別情報として、複数種類の識別情報を設けてもよい。例えば、制御情報３３のエリアをアイドルメッセージに変更したときと、移動送受信装置１０２が任意に受信すればよい報知メッセージとしたときとで、異なる種類のアイドル識別情報を機能チャネル識別情報３２Ｂとして設定するようにしてもよい。移動送受信装置１０２は、機能チャネル識別情報３２Ｂに設定されたアイドル識別情報の種類や自機の動作状態などに応じて制御情報３３のエリアにおける受信動作を切り換えることで、効率のよい間欠受信を行いながら、無線基地局間の迅速な移行などの円滑な制御を行うことが可能になる。
【図面の簡単な説明】
【００７６】
【図１】この発明の実施の形態に係る無線通信システムの一構成例を示す図である。
【図２】回線制御装置が送信する情報のフレーム構造を例示する図である。
【図３】制御チャネル通信処理の一例を示すフローチャートである。
【図４】制御チャネル受信処理の一例を示すフローチャートである。
【図５】移動送受信装置が制御チャネル上で送られた情報を受信する動作の一例を説明するための図である。
【図６】この発明の変形例において回線制御装置が送信する情報のフレーム構造を例示する図である。
【符号の説明】
【００７７】
３１      同期ワード
３２      チャネル識別情報
３２Ａ    無線チャネル識別情報
３２Ｂ    機能チャネル識別情報
３３      制御情報
３５      ランダムアクセス制御情報
５１      アンテナ
５２      通信処理部
５３      電源部
５４      音声処理部
５５      PTTスイッチ
５６      動作制御部
１００      無線通信システム
１０１      回線制御装置
１０２      移動送受信装置
【図１】
2006093869.tif 000003
【図２】
2006093869.tif 000004
【図３】
2006093869.tif 000005
【図４】
2006093869.tif 000006
【図５】
2006093869.tif 000007
【図６】
2006093869.tif 000008